【事件の表示】
　平成１１年特許願第２５８４８５号「スイッチ」拒絶査定不服審判事件〔平成１３年　３月３０日出願公開、特開２００１−　８４８６７号〕について、次のとおり審決する。
【結　論】
　本件審判の請求は、成り立たない。
【理　由】
１．手続の経緯
　
　本願は、平成１１年９月１３日の出願であって、平成１７年３月３０日付けで拒絶査定がなされ、同年５月１２日に拒絶査定不服審判が請求されるとともに、同年６月１０日に手続補正がなされた。
　その後、本願は、当審において、平成１９年９月１９日付けで拒絶理由が通知され、同年１１月１６日に手続補正がなされたものである。
　
　
２．本願の発明
　
　本願の請求項１〜４に係る発明は、平成１９年１１月１６日付け手続補正書により補正された明細書の特許請求の範囲の請求項１〜４に記載された事項によって特定されるものと認められるが、そのうち、請求項１に係る発明（以下「本願発明」という。）は、次のとおりである。
　
「【請求項１】　絶縁樹脂製のケースと、このケースの左右内側壁の上部に対向して配置された１対の固定接点と、上記ケースに下部が収納され上下動可能に案内支持された操作軸と、この操作軸の下端に上面が当接し上記ケース内に上下動可能に収納された駆動体と、駆動体を上方へ付勢する付勢手段と、駆動体の下端に保持された接触片とを備えたスイッチにおいて、前記１対の固定接点はそれぞれ、前記内側壁より内方側に突出した位置で上下方向に延びる接触部と、この接触部の下端から外側方に向け屈曲する屈曲部とを有した略コの字状又は略Ｌ字状のものであり、前記接触片は、駆動体の下端に保持される中間部と、この中間部の両側方端よりそれぞれ先端部分において斜下外側方に向け垂下するように形成された左右１対のアーム部と、それぞれのアーム部の下端に内方に向けて湾曲して接触片の最外側方側に位置するように形成された接点部を有し、かつ少なくとも中間部とアーム部とが金属板バネで一体に形成されたものであり、操作軸が下動位置にあるとき、前記接触片の１対のアーム部および接点部がそれぞれ前記固定接点の下方に離脱して前記固定接点およびケースの内側壁に対し非接触状態となり、前記操作軸が前記下動位置から前記付勢手段によって上方へ移動する際、前記接触片の１対のアーム部がそれぞれ前記固定接点の前記屈曲部に弾接摺動した後、さらに前記操作軸の上方への移動に伴い、前記接触片の接点部がそれぞれ前記固定接点の接触部に弾接し上動位置になるようにして、１対の上記固定接点が前記接触片を介して電気的接続が行われる構成とすると共に、前記操作軸の下端面又は前記下端面に当接した前記駆動体の上面を、凸状の曲面としたことを特徴とするスイッチ。」
　
　
３．引用刊行物とその記載事項
　
　これに対して、当審の拒絶の理由に引用された、本願の出願前に日本国内において頒布された刊行物である特公昭５４−３６３１０号公報（以下「引用文献１」という。）には、「接点装置」に関し、第１〜９図とともに以下の記載がある。
　
（ア）「第１図及び第２図には軸方向に作用するスプリングにより附勢された接点プランジヤ１１を含む円筒状のハウジング１０を有する円筒状の接点装置が示されている。Ｕ字状の接点バネ１２はプランジヤ１１に保持固定され、該接点バネ１２はプランジヤ１１の軸に沿つて縦方向に伸張されその開放端部近傍には横方向に突出した接点１３が設けられている。そして接点支持ベース１４が設けられ、該接点支持ベース１４は接点１３がその中で移動することができる様にプランジヤ１１と対応する軸方向に伸張配設された中央開口部もしくは空腔部１５を有している。接片１６及び１７は接点支持ベース１４に固定されている。前記接片１６及び１７は接点１３と電気的な導通を形成する為に中央開口部１５の中に突出した接点リブ１８及び１９を有する。接片１６は他の接片１７及び接点１３と協働して電気的接続状態を形成する様な第１もしくは第２の固定位置にて接点支持ベース１４に選択的に固定することができ、プランジヤ１１の相異なる作用位置にて電気回路の夫夫の開閉作用が行なわれる。」（第２ページ第４欄第３〜２３行）
　
（イ）「ハウジング１０とベース１４とはプラスチツク部材から一体成形され・・・（中略）・・・る。第２図に詳細に示される様にハウジング１１の上部には空室３２が設けられ、該空室３２はプランジヤ１１のガイド部材として作用しまた作動ボール２２が空室３２の内で往復運動する動きを規制する様に該作動ボール２２を保持する作用を行なう。前記ボール２２はハウジング１０のフランジ２０に設けられた開口部３３を通して空室３２の中に挿入される。・・・（中略）・・・ボール２２が挿入される以前に、ボール２２をその頂部にて支える様に構成されたプランジヤ１１がコイルスプリング２３とともに最初に挿入される。前記スプリング２３はプランジヤ１１をボール２２に向けて付勢し、また図示の様にプランジヤ１１には接点バネ１２が連結されている。第２図に示される様にＵ字状の接点バネ１２の上端は外方向へと伸張したフランジを有し、プランジヤ１１に設けられた溝と係合している。プランジヤ１１は接点バネ１２が容易に挿入固定される様に柔軟なプラスチツク部材にて製作されることが好適である。」（第２ページ第４欄第２６行〜第３ページ第５欄第８行）
　
（ウ）「接片１６及び１７は通常同一形状であるが、それらの接片の相異なる側縁には接点１３と接触する為に開口部１５の中に伸張する接点リブが設けられる。・・・（中略）・・・第４Ａ図に示された接片１６及び１７は開口部１５の対抗する側面に図示の様に固定され、常閉接点を有する接点装置を提供している。」（第３ページ第５欄第１１〜１９行）
　
（エ）「接片１６及び１７が第４Ｃ図に示される向きに固定されている場合には、リブ１８及び１９はボール作動子２２が第２図における下方向に押された時に接点１３と接触する。・・・（中略）・・・同一形状の接片１６及び１７を用い、また夫々の接片のリブ１８，１９あるいは２８を適宜選択使用することにより、第４Ａ、４Ｂ及び４Ｃ図に示される３つの相異なる接触状態を得ることができ、この結果常閉接点、一時閉接点もしくは常開接点作用を提供することができる。」（第３ページ第５欄第３１行〜第６欄第１行）
　
　接片１６及び１７について、第２図，第３図の図示内容、上記記載事項（ア）の「前記接片１６及び１７は接点支持ベース１４に固定されている。前記接片１６及び１７は接点１３と電気的な導通を形成する為に中央開口部１５の中に突出した接点リブ１８及び１９を有する。」の記載、上記記載事項（ウ）の「それらの接片の相異なる側縁には接点１３と接触する為に開口部１５の中に伸張する接点リブが設けられる。」の記載から、１対の接片１６及び１７は、接点支持ベース１４の左右内側壁に対向して配置され、内側壁より内方側に突出した位置で上下方向に延びる接点リブ１８及び１９を有したものといえる。
　作動ボール２２、プランジヤ１１及びコイルスプリング２３について、第２図の図示内容、上記記載事項（イ）の記載から、作動ボール２２は、ハウジング１０に下部が収納され上下動可能に案内支持されたものであって、その下部表面は球面つまり凸状の曲面であるといえ、プランジヤ１１は作動ボール２２の下部に上面が当接し上記ハウジング１０内に上下動可能に収納されたものといえ、コイルスプリング２３はプランジヤ１１を上方へ付勢するものといえる。
　接点バネ１２について、第２図の図示内容、上記記載事項（ア）の「Ｕ字状の接点バネ１２はプランジヤ１１に保持固定され、該接点バネ１２はプランジヤ１１の軸に沿つて縦方向に伸張されその開放端部近傍には横方向に突出した接点１３が設けられている。」の記載、上記記載事項（イ）の「図示の様にプランジヤ１１には接点バネ１２が連結されている。第２図に示される様にＵ字状の接点バネ１２の上端は外方向へと伸張したフランジを有し、プランジヤ１１に設けられた溝と係合している。」の記載から、接点バネ１２は、プランジヤ１１の下部に保持されたものであって、プランジヤ１１の下部に保持されるフランジと、このフランジよりそれぞれ開放端部近傍において斜下外側方に向け垂下するように形成された左右一対の伸張された部分と、それぞれの伸張された部分の下端に内方に向けて湾曲して接点バネ１２の外側方側に位置するように形成された接点１３を有し、フランジと伸張された部分とがバネで一体に形成されたものであるといえる。
　電気的接続について、第２図，第４Ａ図の図示内容、上記記載事項（ア）の「前記接片１６及び１７は接点１３と電気的な導通を形成する為に中央開口部１５の中に突出した接点リブ１８及び１９を有する。接片１６は他の接片１７及び接点１３と協働して電気的接続状態を形成する様な第１もしくは第２の固定位置にて接点支持ベース１４に選択的に固定することができ、プランジヤ１１の相異なる作用位置にて電気回路の夫夫の開閉作用が行われる。」の記載、上記記載事項（イ）の「前記スプリング２３はプランジヤ１１をボール２２に向けて付勢し」の記載、上記記載事項（ウ），（エ）の記載から、作動ボール２２が下動位置からコイルスプリング２３によって上方へ移動し、接点バネ１２の接点１３がそれぞれの接片１６及び１７の接点リブ１８及び１９に接触し上動位置になるようにして、１対の上記接片１６及び１７が接点バネ１２を介して電気的接続が行われるといえる。
　
　上記記載事項（ア）〜（エ）、図面の図示内容及び上記検討した事項を総合すると、引用文献１には、「プラスチック部材から一体成形されたハウジング１０及び接点支持ベース１４と、この接点支持ベース１４の左右内側壁に対向して配置された１対の接片１６及び１７と、上記ハウジング１０に下部が挿入され上下方向に移動可能に保持された作動ボール２２と、この作動ボール２２の下部に上面が当接し上記ハウジング１０内に上下動可能に収納されたプランジヤ１１と、プランジヤ１１を上方へ付勢するコイルスプリング２３と、プランジヤ１１の下部に保持された接点バネ１２とを有する接点装置において、前記１対の接片１６及び１７はそれぞれ、内側壁より内方側に突出した位置で上下方向に延びる接点リブ１８及び１９を有したものであり、前記接点バネ１２は、プランジヤ１１の下部に保持されるフランジと、このフランジよりそれぞれ開放端部近傍において斜下外側方に向け垂下するように形成された左右一対の伸張された部分と、それぞれの伸張された部分の下端に内方に向けて湾曲して接点バネ１２の外側方側に位置するように形成された接点１３を有し、フランジと伸張された部分とがバネで一体に形成されたものであり、作動ボール２２が下動位置からコイルスプリング２３によって上方へ移動し、接点バネ１２の接点１３がそれぞれの接片１６及び１７の接点リブ１８及び１９に接触し上動位置になるようにして、１対の上記接片１６及び１７が接点バネ１２を介して電気的接続が行われる構成とすると共に、前記作動ボール２２の下部表面を、凸状の曲面とした接点装置」の発明が記載されている。
　
　また、当審の拒絶の理由に引用された、本願の出願前に日本国内において頒布された刊行物である特開昭５１−９９２７６号公報（以下「引用文献２」という。）には、「照明付押しボタン式電気スイツチ」に関し、第１〜９図とともに以下の記載がある。
　
（オ）「端子導線１４の最上部は側壁２４の上部表面２９上へ折りたたまれてスイツチ１０の可動接点３２を係合するための概略三角形の係合部分３０を形成する。」（第４ページ左下欄第９〜１２行）
　
（カ）「第５ａ図の可動接点２３ａは好ましくは銅やベリリウム銅などの良導金属で構成される。可動接点は・・・（中略）・・・概略八角形の板５０より成る。・・・（中略）・・・八角形の板５０の・・・（中略）・・・もう４つの側部５６は・・・（中略）・・・三角形の部分２１の平坦な外部表面にほぼ平行である。ハウジング１２の対角線方向に相対している四隅において複数の対の二又接点５８、６０が三角形部分２１の外部表面３１に平行な側部５６より延長している。」（第５頁左上欄第３〜１８行）
　
（キ）「接点５８、６０の対の断面図は第２図に示されており、該接点５８、６０の第１の部分は板５０に関して約７０乃至９０度の角度を有して該板から上方向へ延長しており、次に第２の部分６４は該板５０に関して約３５乃至５５度の角度を有して外側方向へ延長しており、更に逆ベンド端部がハウジング１２の内部方向に屈曲している。端部６６の最外側部分６８は、スイツチが作動されていないときには端子導線１４の屈曲した三角形の係合部分３０上に外側方向に配置され、もつて該スイツチが作動されたときには可動接点４８は下方向に押され、第２の部分６４の下部表面６５と接点の最外側部分６８とはスイツチ内で電気的閉鎖が生起された瞬間に係合部分３０と接触する。接点５８、６０は最初のスイツチ閉鎖後に内側方向へ屈曲され、部分６８は最初のスイツチ閉鎖後に必要とされる比較的軽微な力で端子導線１４の内側表面３３に対して滑動される。」（第５頁右上欄第５行〜左下欄第２行）
　
（ク）「本発明のスイツチの作動ボタン１８は可動接点部材２３ａ乃至は２３ｂに直接接触・・・（中略）・・・している。本発明のスイツチの作動ボタン１８は好ましくは４本の脚１００を有したプラスチツク材料のような電気絶縁材料の単一体で構成され・・・（中略）・・・る。・・・（中略）・・・第６図に明示されているように、脚１００の底部表面は僅かに内側に傾斜しており、この傾斜面９６の端部において該脚と接点部材２３ａ、２３ｂの接触が生起される。」（第６ページ左上欄第４〜１７行）
　
　端子導線１４について、第２図，第４図及び第９図の図示内容、上記記載事項（オ）の記載、上記記載事項（キ）の「端子導線１４の屈曲した三角形の係合部分３０」および「端子導線１４の内側表面３３」の記載から、端子導線１４は、上下方向に延びる内側表面３３と、端子導線１４の最上部を上部表面２９上へ折りたたむことによって形成された係合部分３０とを有した略Ｌ字状のものであるといえる。
　また、可動接点部材２３ａについて、第２図，第３図、第５ａ図、第６図の図示内容、上記記載事項（カ），（キ），（ク）の記載から、可動接点部材２３ａは、作動ボタン１８の脚１００の端部に接触される板５０と、この板５０の対角線方向に相対している側部５６より延長した接点５８、６０を有し、該接点５８、６０は、該板５０に関して約７０乃至９０度の角度を有して上方向へ延長する第１の部分と、該板５０に関して約３５乃至５５度の角度を有して外側方へ延長する第２の部分６４と、更に内部方向に屈曲した逆ベンド端部６６において最外側部分６８を有し、可動接点部材２３ａは銅やベリリウム銅などの良導金属で構成されるものであるといえる。
　さらに、上記記載事項（キ）から、スイッチが作動されていないときには、最外側部分６８は端子導線１４の係合部分３０上に外側方向に配置され、スイッチが作動されたときには、第２の部分６４の下部表面６５と接点の最外側部分６８とは電気的閉鎖が生起された瞬間に係合部分３０と接触し、最初のスイッチ閉鎖後に、接点５８、６０は内方へ屈曲され、最外側部分６８は端子導線１４の内側表面３３に対して滑動されるといえる。
　
　上記記載事項（オ）〜（ク）、図面の図示内容及び上記検討した事項を総合すると、引用文献２には、「端子導線１４は、上下方向に延びる内側表面３３と、端子導線１４の最上部を上部表面２９上へ折りたたむことによって形成された係合部分３０とを有した略Ｌ字状のものであり、可動接点部材２３ａは、作動ボタン１８の脚１００の端部に接触される板５０と、この板５０の側部５６より延長した接点５８、６０を有し、該接点５８、６０は、該板５０に関して約７０乃至９０度の角度を有して上方向へ延長する第１の部分と、該板５０に関して約３５乃至５５度の角度を有して外側方へ延長する第２の部分６４と、更に内部方向に屈曲した逆ベンド端部６６において最外側部分６８を有し、可動接点部材２３ａは銅やベリリウム銅などの良導金属で構成されたものであり、スイッチが作動されていないときには、最外側部分６８は端子導線１４の係合部分３０上に外側方向に配置され、スイッチが作動されたときには、第２の部分６４の下部表面６５と接点の最外側部分６８とは電気的閉鎖が生起された瞬間に係合部分３０と接触し、最初のスイッチ閉鎖後に、接点５８、６０は内方へ屈曲され、最外側部分６８は端子導線１４の内側表面３３に対して滑動される」という事項が記載されている。
　
　
４．本願発明と引用文献１に記載された発明との対比
　
　本願発明と引用文献１に記載された発明とを対比する。
　引用文献１に記載された発明の「ハウジング１０」及び「接点支持ベース１４」は、本願発明の「ケース」に相当し、以下同様に、「接片１６及び１７」は「固定接点」に、「プランジャ１１」は「駆動体」に、「コイルスプリング２３」は「付勢手段」に、「接点バネ１２」は「接触片」に、「接点リブ１８及び１９」は「接触部」に、「フランジ」は「中間部」に、「開放端部近傍」は「先端部分」に、「伸張された部分」は「アーム部」に、「接点１３」は「接点部」に、「接点装置」は「スイッチ」に各々相当する。
　また、引用文献１に記載された発明の「作動ボール２２」は、下方向に押されるもの（上記記載事項（エ））、すなわち操作されるものであるので、本願発明の「操作軸」と、「操作部材」である点で共通し、引用文献１に記載された発明の「プランジャ１１の下部」は、本願発明の「駆動体の下端」と、「駆動体の下部」である点で共通し、引用文献１に記載された発明の作動ボール２２の「下部表面」は、本願発明の操作部材の「下端面」と、「下面」である点で共通する。
　さらに、引用文献１に記載された発明の「プラスチック部材から一体成形されたハウジング１０及び接点支持ベース１４」の事項と、本願発明の「絶縁樹脂製のケース」の事項とは、「樹脂製のケース」という点で共通の概念を有し、引用文献１に記載された発明の「接点バネ１２の接点１３がそれぞれの接片１６及び１７の接点リブ１８及び１９に接触」する事項と、本願発明の「接触片の接点部がそれぞれ前記固定接点の接触部に弾接」する事項とは、「接触片の接点部がそれぞれ前記固定接点の接触部に接触」する点で共通の概念を有する。
　
　それゆえ、本願発明と引用文献１に記載された発明とは、「樹脂製のケースと、このケースの左右内側壁に対向して配置された１対の固定接点と、上記ケースに下部が収納され上下動可能に案内支持された操作部材と、この操作部材に上面が当接し上記ケース内に上下動可能に収納された駆動体と、駆動体を上方へ付勢する付勢手段と、駆動体の下部に保持された接触片とを備えたスイッチにおいて、前記１対の固定接点はそれぞれ、前記内側壁より内方側に突出した位置で上下方向に延びる接触部を有したものであり、前記接触片は、駆動体の下部に保持される中間部と、この中間部よりそれぞれ先端部分において斜下外側方に向け垂下するように形成された左右１対のアーム部と、それぞれのアーム部の下端に内方に向けて湾曲して接触片の外側方側に位置するように形成された接点部を有し、かつ少なくとも中間部とアーム部とが一体に形成されたものであり、前記接触片の接点部がそれぞれ前記固定接点の接触部に接触し上動位置になるようにして、１対の上記固定接点が前記接触片を介して電気的接続が行われる構成とすると共に、前記操作部材の下面又は前記下面に当接した前記駆動体の上面を、凸状の曲面としたスイッチ」の点で一致し、以下の＜相違点＞（１）〜（５）で相違しているものと認める。
　
＜相違点＞
（１）ケースに関し、本願発明では、ケースが「絶縁樹脂」製であるのに対し、引用文献１に記載された発明では、ハウジング１０及び接点支持ベース１４がプラスチック部材から一体成形された樹脂製のものであるものの、該樹脂が絶縁樹脂であるのか否かが明確ではない点。
　
（２）固定接点に関し、本願発明では、固定接点がケースの「左右内側壁の上部に」配置され、１対の固定接点はそれぞれ、接触部と、「この接触部の下端から外側方に向け屈曲する屈曲部とを有した略コの字状又は略Ｌ字状のもの」であるのに対し、引用文献１に記載された発明では、接片１６及び１７が左右内側壁の上部に配置されておらず、また１対の接片１６及び１７がそれぞれ、接点リブ１８及び１９を有するものの、屈曲部を有した略コの字状又は略Ｌ字状のものではない点。
　
（３）操作部材及び駆動体に関し、本願発明では、操作部材が「操作軸」であって、「操作軸の下端に」駆動体の上面が当接し、「操作軸の下端面又は前記下端面に当接した前記駆動体の上面を」凸状の曲面としたのに対し、引用文献１に記載された発明では、操作部材が作動ボール２２であって、作動ボール２２の下部にプランジャ１１の上面が当接し、作動ボール２２の下部表面を凸状の曲面とするものの、作動ボール２２の下端にプランジャ１１の上面が当接するものではない点。
　
（４）接触片に関し、本願発明では、その中間部が駆動体の「下端」に保持され、アーム部が「中間部の両側方端より」垂下し、接点部が「接触片の最外側方側に」位置し、少なくとも中間部とアーム部とが「金属板バネで」一体に形成されたものであるのに対し、引用文献１に記載された発明では、そのフランジが接点プランジヤ１１の下端に保持されておらず、伸張された部分がフランジの両側方端より垂下しておらず、接点１３が接点バネ１２の最外側方側に位置しておらず、フランジと伸張された部分とが金属板バネで一体に形成されたものであるのか否かが明確ではない点。
　
（５）下動位置から上動位置への電気的接続状態に関し、本願発明では、「操作軸が下動位置にあるとき、接触片の１対のアーム部および接点部がそれぞれ固定接点の下方に離脱して固定接点およびケースの内側壁に対し非接触状態となり、前記操作軸が前記下動位置から付勢手段によって上方へ移動する際、前記接触片の１対のアーム部がそれぞれ前記固定接点の屈曲部に弾接摺動した後、さらに前記操作軸の上方への移動に伴い、前記接触片の接点部がそれぞれ前記固定接点の接触部に弾接し上動位置になる」のに対し、引用文献１に記載された発明では、作動ボール２２が下動位置からコイルスプリング２３によって上方へ移動するものの、下動位置から上動位置への動作が明確ではない点。
　
　
５．相違点の検討
　
（１）＜相違点＞（１）について
　スイッチの技術分野において、ケースを絶縁樹脂製とすることは、常套手段である。そして、引用文献１に記載された発明のケースの一部である接点支持ベース１４に配置されている一対の接片１６及び１７間が絶縁されていることは、自明であって、第３図を参照しても別途の絶縁材を有するものではなく、引用文献１に記載された発明の樹脂を絶縁樹脂とすることを妨げる技術的事情も見あたらないので、引用文献１に記載された発明に上記常套手段を採用することは、当業者にとって容易想到の範囲である。
　
（２）＜相違点＞（２），（４），（５）について
　スイッチの技術分野において、接触片や固定接点の向きや位置を変えて、常閉接点を常開接点に変更したり、常開接点を常閉接点に変更したりすることは、常套手段であり、例えば引用文献１においても、固定接点として機能する接片１６及び１７の向きを変えて常閉接点や常開接点とすることが記載されている（上記記載事項（エ）参照）。そして、接点バネや接片の構造は、接点装置の用途や接触性、耐久性等に応じて当業者が適宜設計する事項であって、引用文献１に記載された発明に、引用文献２に記載された可動接点部材２３ａや端子導線１４、スイッチの作動に関する事項を、常閉接点として適用することを妨げる技術的事情も見当たらないので、引用文献１に記載された発明に、引用文献２に記載された事項を常閉接点として適用することに、格別な困難性があるとは認められない。
　そして、引用文献１に記載された発明に、引用文献２に記載された可動接点部材２３ａや端子導線１４、スイッチの作動に関する事項を常閉接点として適用すれば、必然的に、１対の端子導線１４はそれぞれ、内側表面３３と、この内側表面３３の下端から外側方に向け屈曲する係合部分３０とを有した略Ｌ字状のものとなり（＜相違点＞（２））、可動接点部材２３ａの板５０が接点プランジヤ１１の下端に保持され、接点５８、６０が板５０の両側方端より垂下し、最外側部分６８が可動接点部材２３ａの最外側方側に位置し、板５０と接点５８、６０とが良導金属の板のバネで一体に形成されたものとなる（＜相違点＞（４））とともに、作動ボール２２が下動位置にあるとき、可動接点部材２３ａの１対の接点５８、６０および最外側部分６８がそれぞれ端子導線１４の下方に離脱して端子導線１４およびケースの内側壁に対し非接触状態となり、前記作動ボール２２が前記下動位置からコイルスプリング２３によって上方へ移動する際、前記可動接点部材２３ａの１対の接点５８、６０がそれぞれ前記端子導線１４の係合部分３０に弾接摺動した後、さらに前記作動ボール２２の上方への移動に伴い、前記可動接点部材２３ａの最外側部分６８がそれぞれ前記端子導線１４の内側表面３３に弾接し上動位置になる（＜相違点＞（５））。
　また、スイッチの技術分野において、固定接点の左右内側壁に対する位置は、左右内側壁の位置や形状に応じて適宜設計されるべき事項である。また、固定接点が左右内側壁の上部に配置されることは、当審の拒絶の理由において示した実公昭５９−４４０５号公報（Ｌ字形の電極板９）に記載されており、本願の出願前に周知の技術である。よって、引用文献１に記載された発明に、引用文献２に記載された事項を常閉接点として適用するにあたり、端子導線１４の左右内側壁に対する位置を適宜設計し、端子導線１４が左右内側壁の上部に配置されるようにして、＜相違点＞（２），（４），（５）に係る本願発明の発明特定事項とすることは、格別困難といえない。
　また、引用文献２には「スイッチが作動されていないときには、最外側部分６８は端子導線１４の係合部分３０上に外側方向に配置され、スイッチが作動されたときには、第２の部分６４の下部表面６５と接点の最外側部分６８とは電気的閉鎖が生起された瞬間に係合部分３０と接触し、最初のスイッチ閉鎖後に、接点５８、６０は内方へ屈曲され、最外側部分６８は端子導線１４の内側表面３３に対して滑動される」という事項が記載されている（上記記載事項（キ）参照）ので、＜相違点＞（２），（４），（５）に係る本願発明の作用効果は、引用文献１に記載された発明、引用文献２に記載された事項及び上記周知の技術から当業者が予測できる範囲内のものである。 
　
（３）＜相違点＞（３）について
　スイッチの技術分野において、操作部材が操作軸であるものは、例えば、当審の拒絶の理由において示した特開平１０−３０２５６９号公報（ロッド２）に記載されており、本願の出願前に周知の技術であり、さらに、操作軸の下端に駆動される部材の上面が当接し、操作軸の下端面又は前記下端面に当接した前記駆動される部材の上面を凸状の曲面とすることも、実公昭４１−１３８６号公報（第１，２図、付加押棒４及び押棒２）や、特開平１０−１７２３８２号公報（抜止軸２ｃ及びボール６ａ）、特公平３−２６８９３号公報（プランジャ２０及び可動接触子１０）に記載されており、本願の出願前に周知の技術である。上記周知例には凸状の曲面が他部材に点状に当接することも示されている。また、操作部材の形状は、接点装置の用途やケースの形状等に応じて当業者が適宜設計する事項であって、操作部材と駆動される部材との当接面の形状も、摩擦や摩耗等を考慮して当業者が適宜設計する事項である。そして、引用文献１に記載された発明の作動ボール２２及びプランジヤ１１に、上記周知の技術を採用することを妨げる技術的事情も見あたらない以上、引用文献１に記載された発明に上記周知の技術を採用して、＜相違点＞（３）に係る本願発明の発明特定事項とすることは、当業者にとって容易想到の範囲である。
　
　そして、本願発明の作用効果は、引用文献１に記載された発明、引用例２に記載された事項及び上記各周知の技術から当業者が予測できる範囲内のものである。
　したがって、本願発明は、引用文献１に記載された発明、引用例２に記載された事項及び上記周知の技術に基づいて、当業者が容易に発明することができたものである。
　
５．むすび
　
　以上のとおり、本願発明については、特許法第２９条第２項の規定により特許を受けることができない。
　
　そして、このような特許を受けることができない発明を包含する本願は、本願の他の請求項に係る発明について検討するまでもなく、拒絶されるべきものである。
　
　よって、結論のとおり審決する。